(57)【要約】【課題】画像入力系統とは無関係な音声入力系統、または画像入力系統に対応付けられた音声入力系統を選択することができる信号切替装置、画像表示装置、及び信号切替方法を提供する。【解決手段】信号切替装置１１０は、画像信号が入力される画像入力系統である画像信号入力端子１１８ａ〜１１８ｃと、音声信号が入力される音声入力系統である音声信号入力端子１１９ａ〜１１９ｃと、画像入力系統を選択し、選択した画像入力系統に入力された画像信号を出力する入力画像信号制御部１１２と、入力画像信号制御部１１２が選択した画像入力系統とは独立に音声入力系統を選択し、選択した音声入力系統に入力された音声信号を出力する音声制御部１１６とを備える。【選択図】図１
2012124583.tif 000002
【特許請求の範囲】
【請求項１】
画像信号が入力される複数の画像入力系統と、
音声信号が入力される複数の音声入力系統と、
前記複数の画像入力系統から１つの画像入力系統を選択し、選択した前記画像入力系統に入力された前記画像信号を出力する入力画像信号制御部と、
前記複数の音声入力系統から1つの音声入力系統を選択し、選択した前記音声入力系統に入力された前記音声信号を出力する音声制御部と、
操作入力を受け付ける入力処理部と、を備え、
前記音声制御部は、前記操作入力に基づいて、前記入力画像信号制御部が選択した前記画像入力系統とは無関係な前記音声入力系統、または前記入力画像信号制御部が選択した前記画像入力系統に予め対応付けられた前記音声入力系統を選択することを特徴とする信号切替装置。
【請求項２】
前記入力画像信号制御部が選択した前記画像入力系統とは無関係な前記音声入力系統を選択する場合、前記音声制御部は、前記複数の音声入力系統から、前記操作入力により指定された前記音声入力系統を選択することを特徴とする請求項１に記載の信号切替装置。
【請求項３】
前記操作入力のための操作メニュー画面を表示させる画像制御部を備え、
前記操作メニュー画面上で前記音声入力系統が選択可能であることを特徴とする請求項１または請求項２に記載の信号切替装置。
【請求項４】
前記画像制御部は、前記音声入力系統に信号ケーブルが接続されているか否かを前記音声入力系統毎に表すインジケーターを、前記操作メニュー画面に表示させることを特徴とする請求項３に記載の信号切替装置。
【請求項５】
請求項１から請求項４のいずれか１つに記載の信号切替装置と、
前記画像入力系統に入力された前記画像信号に基づく画像を表示する画像信号出力デバイスと、
を備えることを特徴とする画像表示装置。
【請求項６】
画像信号が入力される複数の画像入力系統と、音声信号が入力される複数の音声入力系統と、操作入力を受け付ける入力処理部と、を備え、前記複数の画像入力系統から１つの画像入力系統を選択するとともに、前記複数の音声入力系統から１つの音声入力系統を選択して、前記画像信号及び前記音声信号を出力する信号切替装置における信号切替方法であって、
前記信号切替装置が、
前記操作入力に基づいて、選択された前記画像入力系統とは無関係な前記音声入力系統、または選択された前記画像入力系統に予め対応付けられた前記音声入力系統を選択する
ことを特徴とする信号切替方法。
【発明の詳細な説明】
【技術分野】
【０００１】
本発明は、信号切替装置、画像表示装置、及び信号切替方法に関する。
【背景技術】
【０００２】
画像及び音声の選択を簡易な操作で行わせることを目的とした画像表示装置が、特許文献１に開示されている。特許文献１に係る画像表示装置は、複数の画像入力系統と、複数の音声入力系統とを備えている。
【先行技術文献】
【特許文献】
【０００３】
【特許文献１】特開２００９−２５８２０２号公報
【発明の概要】
【発明が解決しようとする課題】
【０００４】
しかしながら、特許文献１に係る画像表示装置は、ユーザーによる操作入力に基づいて画像入力系統を選択し、選択した画像入力系統に予め対応付けられた音声入力系統を常に選択することで、画像入力系統及び音声入力系統を切り替えていた。しかし、特許文献１に係る画像表示装置は、画像入力系統とは無関係に音声入力系統を選択することができないため、音声入力系統は固定したまま、画像入力系統を変更することができないという問題があった。
【０００５】
本発明は、前記の点に鑑みてなされたものであり、画像入力系統とは無関係に音声入力系統を選択することができる信号切替装置、画像表示装置、及び信号切替方法を提供することを目的とする。
【課題を解決するための手段】
【０００６】
本発明は、上記の課題を解決するためになされたものであり、画像信号が入力される複数の画像入力系統と、音声信号が入力される複数の音声入力系統と、前記複数の画像入力系統から１つの画像入力系統を選択し、選択した前記画像入力系統に入力された前記画像信号を出力する入力画像信号制御部と、前記複数の音声入力系統から1つの音声入力系統を選択し、選択した前記音声入力系統に入力された前記音声信号を出力する音声制御部と、
操作入力を受け付ける入力処理部と、を備え、前記音声制御部は、前記操作入力に基づいて、前記入力画像信号制御部が選択した前記画像入力系統とは無関係な前記音声入力系統、または前記入力画像信号制御部が選択した前記画像入力系統に予め対応付けられた前記音声入力系統を選択することを特徴とする信号切替装置である。
【０００７】
これにより、信号切替装置は、画像入力系統とは無関係な音声入力系統を選択するか、画像入力系統に対応付けられた音声入力系統を選択するかを指定することができる。したがって、信号切替装置は、画像入力系統とは無関係な音声入力系統を選択するように指定された場合、画像入力系統を切り替えても、音声入力系統が切り替わることがない。また、信号切替装置は、音声信号入力端子の接触不良等により、いずれかの音声入力系統が故障している場合でも、故障していない音声入力系統を操作入力信号に基づいて選択することで、故障していない音声入力系統から音声信号を取得することができる。さらに画像入力系統と対応付けられた音声入力系統を選択するように指定された場合は、画像入力系統を選択することにより、音声入力系統も自動的に切り替えることができる。
【０００８】
また、本発明は、前記入力画像信号制御部が選択した前記画像入力系統とは無関係な前記音声入力系統を選択する場合、前記音声制御部が、前記複数の音声入力系統から、前記操作入力により指定された前記音声入力系統を選択することを特徴とする信号切替装置である。
これにより、信号切替装置は、指定された音声入力系統に入力された音声信号を出力することができる。
【０００９】
また、本発明は、前記操作入力のための操作メニュー画面を表示させる画像制御部を備え、前記操作メニュー画面上で前記音声入力系統が選択可能であることを特徴とする信号切替装置である。
これにより、音声入力系統を、操作メニュー上で選択することができる。
【００１０】
また、本発明は、前記画像制御部は、前記音声入力系統に信号ケーブルが接続されているか否かを前記音声入力系統毎に表すインジケーターを、前記操作メニュー画面に表示させることを特徴とする信号切替装置である。
これにより、ユーザーは、音声信号入力端子を直接確認することなく、操作メニュー画面に表示されたインジケーターを確認するだけで、入力音声ケーブルが接続されているか否かを音声入力系統毎に確認することができる。
【００１１】
また、本発明は、信号切替装置と、前記画像入力系統に入力された前記画像信号に基づく画像を表示する画像信号出力デバイスと、を備えることを特徴とする画像表示装置である。
これにより、画像表示装置は、画像入力系統とは無関係に音声入力系統を選択することができる。
【００１２】
また、本願発明は、画像信号が入力される複数の画像入力系統と、音声信号が入力される複数の音声入力系統と、操作入力を受け付ける入力処理部と、を備え、前記複数の画像入力系統から１つの画像入力系統を選択するとともに、前記複数の音声入力系統から１つの音声入力系統を選択して、前記画像信号及び前記音声信号を出力する信号切替装置における信号切替方法であって、前記信号切替装置が、前記操作入力に基づいて、選択された前記画像入力系統とは無関係な前記音声入力系統、または選択された前記画像入力系統に予め対応付けられた前記音声入力系統を選択することを特徴とする信号切替方法である。
【００１３】
これにより、信号切替装置は、画像入力系統とは無関係な音声入力系統を選択するか、画像入力系統に対応付けられた音声入力系統を選択するかを指定することができる。したがって、信号切替装置は、画像入力系統とは無関係な音声入力系統を選択するように指定された場合、画像入力系統を切り替えても、音声入力系統が切り替わることがない。また、信号切替装置は、音声信号入力端子の接触不良等により、いずれかの音声入力系統が故障している場合でも、故障していない音声入力系統を操作入力信号に基づいて選択することで、故障していない音声入力系統から音声信号を取得することができる。さらに画像入力系統と対応付けられた音声入力系統を選択するように指定された場合は、画像入力系統を選択することにより、音声入力系統も自動的に切り替えることができる。
【００１４】
本発明によれば、信号切替装置及び画像表示装置は、画像入力系統とは無関係に音声入力系統を選択することができる。
【図面の簡単な説明】
【００１５】
【図１】本発明の第１実施形態における、信号切替装置を備えた画像表示装置の構成例を表すブロック図である。
【図２】本発明の第１実施形態における、画像信号入力端子、音声信号入力端子、及び音声信号出力端子等のインターフェースの配置例を表す図である。
【図３】本発明の第１実施形態における、画像入力系統と音声入力系統との対応関係を示す表である。
【図４】本発明の第１実施形態における、画像信号出力デバイスの構成例を表すブロック図である。
【図５】本発明の第１実施形態における、操作メニュー画面の表示例を表す図である。
【図６】本発明の第１実施形態における、入力音声ケーブルが接続されているか否かを音声入力系統毎に表すインジケーターの表示例を表す図である。
【図７】本発明の第２実施形態における、画像信号及び音声信号がコントロールボックスを介して入力される信号切替装置を備えた画像表示装置の構成例を表すブロック図である。
【発明を実施するための形態】
【００１６】
［第１実施形態］
本発明の第１実施形態について図面を参照して詳細に説明する。図１には、信号切替装置を備えた画像表示装置（液晶表示装置、プロジェクター）の構成例が、ブロック図により表されている。画像信号入力装置２００は、複数の画像信号（映像信号）を画像入力系統毎に画像表示装置１００に出力する。音声信号入力装置３００は、複数の音声信号を音声入力系統毎に画像表示装置１００に出力する。リモートコントローラー５００は、操作入力を受け付け、操作入力に応じた信号を赤外線に変換して、変換した赤外線を画像表示装置１００に送出する。外部スピーカー１６０は、画像表示装置１００が出力した音声信号を取得し、この音声信号に応じた音声を出力する。
【００１７】
画像表示装置１００には、画像信号入力装置２００から複数の画像信号（映像信号）が入力される。画像表示装置１００は、入力された複数の画像信号から、出力する画像信号を選択し、選択した画像信号に所定の画像処理を施した画像を表示する。また、画像表示装置１００には、音声信号入力装置３００から複数の音声信号が入力される。画像表示装置１００は、入力された複数の音声信号から、出力する音声信号を選択し、選択した音声信号に所定の音声処理を施した音声信号、又はこの音声信号に応じた音声を出力する。
【００１８】
画像表示装置１００は、信号切替装置１１０と、受光部１２０と、操作部１３０と、画像信号出力デバイス１４０と、内蔵スピーカー１５０とを備える。
受光部１２０は、リモートコントローラー５００が送出した赤外線を受光し、受光した赤外線に応じた信号（以下、「受光信号」という）を信号切替装置１１０に出力する。
【００１９】
操作部１３０は、操作入力を受け付け、操作入力に応じた信号（以下、「操作入力信号」という）を信号切替装置１１０に出力する。操作部１３０は、画像入力系統を指定するための操作入力を受け付ける。また、操作部１３０は、音声入力系統を指定するための操作入力を受け付ける。また、操作部１３０は、操作メニュー画面（ユーザー・インターフェース）を表示させるための操作入力を受け付ける。操作部１３０は、例えば、ユーザーが操作入力をするためのキーを有するキーパネルである。
【００２０】
信号切替装置１１０には、複数の画像入力系統に画像信号（映像信号）がそれぞれ入力される。信号切替装置１１０は、操作入力信号に基づいて画像入力系統を選択し、選択した画像入力系統に入力された画像信号に所定の画像処理を施して、この画像信号を出力する。また、信号切替装置１１０には、複数の音声入力系統に音声信号がそれぞれ入力される。信号切替装置１１０は、操作入力信号に基づいて音声入力系統を選択し、選択した音声入力系統に入力された音声信号に所定の音声処理を施して、この音声信号を出力する。
【００２１】
信号切替装置１１０は、入力処理部１１１と、入力画像信号制御部１１２と、画像制御部１１３と、出力画像信号制御部１１４と、入力音声信号制御部１１５と、音声制御部１１６と、出力音声信号制御部１１７と、画像信号入力端子１１８ａ〜１１８ｃと、音声信号入力端子１１９ａ〜１１９ｃと、音声信号出力端子１６１とを備える。
【００２２】
入力処理部１１１は、受光部１２０から受光信号を取得し、取得した受光信号を操作入力信号として画像制御部１１３に転送する。また、入力処理部１１１は、操作部１３０から操作入力信号を取得し、取得した操作入力信号を画像制御部１１３に転送する。
【００２３】
入力画像信号制御部１１２には、複数の画像入力系統、すなわち画像信号入力端子１１８ａ〜１１８ｃを介して、画像信号入力機器２００から複数の画像信号が入力される。また、入力画像信号制御部１１２は、画像制御部１１３を介して入力処理部１１１から操作入力信号を取得する。また、入力画像信号制御部１１２は、操作入力信号により指定された画像入力系統を選択し、選択した画像入力系統に入力された画像信号を画像制御部１１３に出力する。また、入力画像信号制御部１１２は、選択した画像入力系統を表す情報（以下、「画像入力系統情報」という）を音声制御部１１６に出力する。
【００２４】
画像制御部１１３は、入力画像信号制御部１１２から画像信号を取得し、取得した画像信号に所定の画像処理を施して、画像処理を施した画像信号を出力画像信号制御部１１４に出力する。また、画像制御部１１３には、入力音声ケーブル（音声信号ケーブル）が接続されているか否かを音声信号入力端子１１９ａ〜１１９ｃ毎に表す情報が、音声制御部１１６から入力される。
【００２５】
画像制御部１１３は、ＵＩ（Ｕｓｅｒ  Ｉｎｔｅｒｆａｃｅ）制御部として動作し、入力処理部１１１から取得した操作入力信号を、入力画像信号制御部１１２及び音声制御部１１６に転送する。ここで、画像制御部１１３は、音声入力系統を指定するための操作入力信号のうち、最新の操作入力信号を記憶する。これにより、画像制御部１１３は、最新の操作入力信号に基づいて現在選択されている音声入力系統を、操作メニュー画面に表示することができる。操作メニュー画面については、図５及び６を用いて後述する。
【００２６】
また、画像制御部１１３は、操作メニュー画面を表示させることを操作入力信号により指定された場合、ＯＳＤ（Ｏｎ  Ｓｃｒｅｅｎ  Ｄｉｓｐｌａｙ）制御部として動作し、画像処理を施した画像信号に操作メニュー画面を重畳して、この画像信号を出力画像信号制御部１１４に出力する。
【００２７】
出力画像信号制御部１１４は、画像制御部１１３から画像信号を取得し、取得した画像信号を画像信号出力デバイス１４０に出力する。
【００２８】
入力音声信号制御部１１５には、複数の音声入力系統、すなわち音声信号入力端子１１９ａ〜１１９ｃを介して、音声信号入力機器３００から音声信号が入力される。また、入力音声信号制御部１１５には、音声制御部１１６が選択した音声入力系統を表す情報が、音声制御部１１６から入力される。入力音声信号制御部１１５は、音声制御部１１６が選択した音声入力系統に入力された音声信号を、音声制御部１１６に出力する。
【００２９】
また、入力音声信号制御部１１５は、入力音声ケーブルが接続されているか否かを音声信号入力端子１１９ａ〜１１９ｃ毎に検出する。ここで、入力音声ケーブルが接続されているか否かは、例えば、各端子における電気抵抗値に基づいて検出される。入力音声信号制御部１１５は、入力音声ケーブルが接続されているか否かを音声信号入力端子１１９ａ〜１１９ｃ毎に表す情報を、音声制御部１１６に出力する。
【００３０】
図２には、画像信号入力端子、音声信号入力端子、及び音声信号出力端子等のインターフェースの配置例が表されている。
画像信号入力端子１１８ａは、画像入力系統「コンピューター１」への入力端子である。また、画像信号入力端子１１８ｂは、画像入力系統「コンピューター２／ＵＳＢ（Ｕｎｉｖｅｒｓａｌ Ｓｅｒｉａｌ Ｂｕｓ）／ＬＡＮ／ＵＳＢタイプＡ・タイプＢ」への入力端子である。また、画像信号入力端子１１８ｃは、画像入力系統「Ｓ−ビデオ／ビデオ」への入力端子である。
【００３１】
また、音声信号入力端子１１９ａは、音声入力系統「オーディオ１」への入力端子である。また、音声信号入力端子１１９ｂは、音声入力系統「オーディオ２」への入力端子である。また、音声信号入力端子１１９ｃは、音声入力系統「Ｌ−オーディオ−Ｒ」への入力端子である。
【００３２】
なお、信号切替装置１１０には、他の音声入力系統として、マイク（Ｍｉｃ）入力端子が更に備えられてもよい。このマイク入力端子に入力されたマイク音声信号は、単独で音声処理されてもよいし、他の音声信号にミキシングされてもよい。
【００３３】
図１に戻り、信号切替装置の構成例の説明を続ける。音声制御部１１６には、入力画像信号制御部１１２から画像入力系統情報と、画像制御部１１３から操作入力信号とが入力される。音声制御部１１６は、操作入力信号又は画像入力系統情報に基づいて、音声入力系統を選択する。
【００３４】
いずれか１つの音声入力系統が操作入力信号により指定されている場合、音声制御部１１６は、画像入力系統情報とは独立に、操作入力信号により指定された音声入力系統を選択する。一方、いずれの音声入力系統も操作入力信号により指定されていない場合、音声制御部１１６は、画像入力系統情報が表す画像入力系統に予め対応付けられた音声入力系統を選択する。
【００３５】
図３には、画像入力系統と音声入力系統との対応関係が表されている。この対応関係は、信号切替装置１１０が備える記憶部（不図示）に予め記憶されているものとする。音声制御部１１６は、記憶部に記憶されたこの対応関係に基づいて、画像入力系統情報が表す画像入力系統に予め対応付けられた音声入力系統を選択する。
【００３６】
以下では、一例として、画像入力系統「コンピューター１」には、音声入力系統「オーディオ１」が対応する。また、画像入力系統「コンピューター２／ＵＳＢ／ＬＡＮ／ＵＳＢタイプＡ・タイプＢ」には、音声入力系統「オーディオ２」が対応する。また、画像入力系統「Ｓ−ビデオ／ビデオ」には、音声入力系統「Ｌ−オーディオ−Ｒ」が対応する。
【００３７】
図１に戻り、信号切替装置の構成例の説明を続ける。音声制御部１１６は、選択した音声入力系統に入力された音声信号に所定の音声処理を施して、この音声信号を出力音声信号制御部１１７に出力する。
【００３８】
出力音声信号制御部１１７には、音声制御部１１６から音声信号が入力される。また、出力音声信号制御部１１７は、出力音声ケーブル（音声信号ケーブル）が音声信号出力端子１６１に接続されているか否かを検出する。出力音声ケーブルが音声信号出力端子１６１に接続されている場合、出力音声信号制御部１１７は、音声信号出力端子１６１を介して外部スピーカー１６０に音声信号を出力する。この場合、音声信号に応じた音声は、外部スピーカー１６０から出力される。一方、出力音声ケーブルが音声信号出力端子１６１に接続されていない場合、出力音声信号制御部１１７は、内蔵スピーカー１５０に音声信号を出力する。この場合、音声信号に応じた音声は、内蔵スピーカー１５０から出力される。
【００３９】
画像信号出力デバイス１４０には、出力画像信号制御部１１４から画像信号が入力される。画像信号出力デバイス１４０は、入力された画像信号に応じた画像をスクリーンに投写する。
【００４０】
図４には、画像信号出力デバイスの構成例がブロック図により表されている。画像信号出力デバイス１４０は、照明部１０と、画像投写部５０とを備える。
照明部１０は、光源部１１と、第１フライアイレンズ１２と、第２フライアイレンズ１３とを備える。光源部１１は、光源１４と、リフレクター１５とを有する。
【００４１】
光源１４は、赤色光ＬＲと、青色光ＬＢと、緑色光ＬＧとを、それぞれ独立に射出する。
リフレクター１５は、光源１４が射出した光を反射する。
フライアイレンズ１２及び１３は、複数のレンズ１６及び１７を有し、光源１４が射出した光の照度分布を、画像投写部５０において均一化させる。
【００４２】
画像投写部５０は、色分離合成部２０と、投写光学系４０とを有する。色分離合成部２０は、ダイクロイックミラー２１及び２２と、反射ミラー２３〜２５と、リレーレンズ２６〜２８と、透過型液晶ライトバルブ３０〜３２と、クロスダイクロイックプリズム３３とを有する。
【００４３】
光源１４が射出した光は、色分離合成部２０に入射する。ここで、光源１４が射出した光は、色分離合成部２０の透過型液晶ライトバルブ（空間光変調器）３０〜３２において、フライアイレンズ１２及び１３によって照度分布が均一化されている。
【００４４】
ダイクロイックミラー２１及び２２は、所定の色光を選択的に反射し、それ以外の波長の光を透過する。例えば、ダイクロイックミラー２１及び２２は、ガラス表面に誘電体多層膜が積層されることにより製造されてもよい。
【００４５】
ダイクロイックミラー２１は、光源１４が射出した光のうち、赤色光ＬＲを透過させるとともに、青色光ＬＢ及び緑色光ＬＧを反射する。また、ダイクロイックミラー２２は、ダイクロイックミラー２１が反射した青色光ＬＢを透過させるとともに、緑色光ＬＧを反射する。
【００４６】
このようにして、光源１４が射出した赤色光ＬＲは、ダイクロイックミラー２１を透過した後、反射ミラー２５により反射され、赤色光用透過型液晶ライトバルブ３０に入射される。また。光源１４が射出した緑色光ＬＧは、ダイクロイックミラー２２により反射され、緑色光用透過型液晶ライトバルブ３１に入射される。また、光源１４が射出した青色光ＬＢは、ダイクロイックミラー２２を透過し、リレーレンズ２６と、反射ミラー２３と、リレーレンズ２７と、反射ミラー２４と、リレーレンズ２８とからなるリレー系２９を経て、青色光用透過型液晶ライトバルブ３２に入射される。
【００４７】
透過型液晶ライトバルブ３０〜３２は、空間光変調器である。透過型液晶ライトバルブ３０により変調された赤色光ＬＲは、クロスダイクロイックプリズム３３に入射する。また、透過型液晶ライトバルブ３１により変調された緑色光ＬＧは、赤色光ＬＲと異なる方向からクロスダイクロイックプリズム３３に入射する。また、透過型液晶ライトバルブ３２により変調された青色光ＬＢは、赤色光ＬＲ及び緑色光ＬＧと異なる方向からクロスダイクロイックプリズム３３に入射する。
【００４８】
クロスダイクロイックプリズム３３は、直角プリズムが貼り合わされた構造を有し、その構造の内面には、赤色光ＬＲを反射するミラー面と、青色光ＬＢを反射するミラー面とが十字状に形成されている。赤色光ＬＲ、緑色光ＬＧ、及び青色光ＬＢはこれらのミラー面により合成され、合成された光が画像を形成する。
【００４９】
投写光学系４０は、投写レンズ４８を有する。クロスダイクロイックプリズム３３により形成された画像は、投写レンズ４８によりスクリーン９に拡大投写される。
このようにして、画像投写部５０は、光源１４の発光を利用して、スクリーン９に画像を投写する。
【００５０】
次に、操作メニュー画面について説明する。
図５には、操作メニュー画面の表示例が表されている。操作メニュー画面は、画像信号に応じた画像に重畳されて、スクリーンに投写される。操作メニュー画面には、例えば、操作入力信号により指定することが可能である音声入力系統の一覧（「オート」，「音声入力１」，「音声入力２」，「Ｌ−音声入力−Ｒ」）と、選択されている音声入力系統を表す情報（入力情報インジケーター）とが表示される。
【００５１】
操作入力信号によりオートが指定された場合、音声制御部１１６（図１を参照）は、画像入力系統情報が表す画像入力系統に予め対応付けられた音声入力系統を選択する。一方、操作入力信号により音声入力１、音声入力２、又はＬ−音声入力−Ｒのいずれかが指定された場合、音声制御部１１６は、その指定された音声入力系統を選択する。図５では、選択されている音声入力系統が「オート」であることが、文字列「オート」の左横に配置された接続情報インジケーターにより表されている。
【００５２】
なお、操作メニュー画面には、操作メニュー画面を終了させるための操作を表す文字列「戻る」など、ユーザーに操作手順を説明するための各種文字情報が、更に表示されてもよい。
【００５３】
図６には、入力音声ケーブルが接続されているか否かを音声入力系統毎に表すインジケーターの表示例が表されている。図５に表された操作メニュー画面と比較して、図６に表された操作メニュー画面には、入力音声ケーブル（音声信号ケーブル）が接続されているか否かを音声入力系統毎に表す情報（接続情報インジケータ）が、更に表示されている。図６では、音声入力系統を表す各文字列の右横に配置された接続情報インジケーターは円形状であり、接続情報インジケーターの輝度、色又は模様の違いにより、入力音声ケーブルが接続されているか否かを表している。
【００５４】
以上のように、信号切替装置１１０は、画像信号が入力される複数の画像入力系統（画像信号入力端子１１８ａ〜１１８ｃ）と、音声信号が入力される複数の音声入力系統（音声信号入力端子１１９ａ〜１１９ｃ）と、前記画像入力系統を選択し、選択した前記画像入力系統に入力された前記画像信号を出力する入力画像信号制御部１１２と、前記音声入力系統を選択し、選択した前記音声入力系統に入力された前記音声信号を出力する音声制御部１１６と、を備える。
これにより、信号切替装置は、画像入力系統とは無関係に音声入力系統を選択することができる。
【００５５】
［第２実施形態］
本発明の第２実施形態について図面を参照して詳細に説明する。第１実施形態では、画像信号は、画像信号入力機器から信号切替装置に直接入力されていた。また、第１実施形態では、音声信号も、音声信号入力機器から信号切替装置に直接入力されていた。第２実施形態では、画像信号及び音声信号が外部のコントロールボックスを介して信号切替装置に入力される点が、第１実施形態と異なる。以下では、第１実施形態との相違点についてのみ説明する。
【００５６】
信号切替装置１１０には、画像信号及び音声信号がコントロールボックス４００を介して入力される。
図７には、画像信号及び音声信号がコントロールボックスを介して入力される信号切替装置を備えた画像表示装置の構成例が、ブロック図により表されている。ここで、画像信号入力装置２００は、複数の画像信号を画像入力系統毎にコントロールボックス４００に出力する。音声信号入力装置３００は、複数の音声信号を音声入力系統毎にコントロールボックス４００に出力する。
【００５７】
コントロールボックス４００は、入力された複数の画像信号を画像入力系統毎に、信号切替装置１１０の入力画像信号制御部１１２に転送する。また、コントロールボックス４００は、操作入力を受け付け、この操作入力に基づいて音声入力系統を選択して、選択した音声入力系統に入力された音声信号のみを、信号切替装置１１０の入力音声信号制御部１１５に転送する。図７では、一例として、音声信号入力端子１１９ａにのみ音声信号が入力されていることが表されている。
【００５８】
ここで、信号切替装置１１０は、操作入力信号に基づいて、音声信号入力端子１１９ａを選択しているとする。信号切替装置１１０は、音声入力系統を音声信号入力端子１１９ａに固定しているので、信号切替装置１１０に接続された入力音声ケーブルが１本のみでも、コントロールボックス４００から転送された音声信号を確実に取得することができる。
【００５９】
なお、コントロールボックス４００には、他の音声入力系統として、マイク（Ｍｉｃ）入力端子が更に備えられてもよい。このマイク入力端子に入力されたマイク音声信号は、単独で信号切替装置１１０に転送されてもよいし、他の音声信号にミキシングされて信号切替装置１１０に転送されてもよい。
【００６０】
以上のように、信号切替装置１１０には、外部のコントロールボックスを介して、画像信号及び音声信号が入力されてもよい。また、コントロールボックス４００は、操作入力を受け付け、この操作入力に基づいて音声入力系統を選択し、選択した音声入力系統に入力された音声信号を、信号切替装置１１０の入力音声信号制御部１１５に転送する。
これにより、信号切替装置１１０は、入力音声ケーブルが１本でも、コントロールボックス４００から転送された音声信号を確実に取得することができる。
【００６１】
以上、この発明の実施形態について図面を参照して詳述してきたが、具体的な構成はこの実施形態に限られるものではなく、この発明の要旨を逸脱しない範囲の設計等も含まれる。
【００６２】
例えば、上述した画像投写部５０は、透過型液晶ライトバルブ３０〜３２を用いて画像をスクリーンに投射するタイプであったが、反射型液晶ライトバルブを用いて投射するタイプであってもよいし、デジタルミラーデバイスを用いたＤＭＤ方式であってもよい。また、３つの透過型液晶ライトバルブ３０〜３２によりカラー画像を投射する３ＬＣＤ方式に限らず、１つの液晶ライトバルブを用いてＲＧＢに対応する画像を時分割表示してカラー画像を投射する方式、カラーホイールを備えた単板ＤＭＤ方式、及び３ＤＭＤ方式のいずれにも本発明を適用可能である。
【００６３】
また、画像表示装置は、スクリーンに画像を投写する代わりに、液晶ディスプレイとして液晶画面に画像を表示してもよい。
また、例えば、信号切替装置とコントロールボックスとの間には、制御信号を通信するためのケーブルが更に接続されていてもよい。
【００６４】
なお、以上に説明した信号切替装置及び画像表示装置を実現するためのプログラムを、コンピューター読み取り可能な記録媒体に記録し、そのプログラムをコンピューターシステムに読み込ませて実行するようにしてもよい。なお、ここでいう「コンピューターシステム」とは、ＯＳや周辺機器等のハードウェアを含むものとする。また、「コンピューター読み取り可能な記録媒体」とは、フレキシブルディスク、光磁気ディスク、ＲＯＭ、ＣＤ−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムが送信された場合のサーバやクライアントとなるコンピューターシステム内部の揮発性メモリ（ＲＡＭ）のように、一定時間プログラムを保持しているものも含むものとする。また、上記プログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピューターシステムにすでに記録されているプログラムとの組み合わせで実現できるもの、いわゆる差分ファイル（差分プログラム）であってもよい。
【符号の説明】
【００６５】
９…スクリーン、１０…照明部、１１…光源部、１２…第１フライアイレンズ、１３…第２フライアイレンズ、１４…光源、１５…リフレクター、１６，１７…レンズ、２０…色分離合成部、２１，２２…ダイクロイックミラー、２３，２４，２５…反射ミラー、２６，２７，２８…リレーレンズ、２９…リレー系、３０…赤色光用透過型液晶ライトバルブ、３１…緑色光用透過型液晶ライトバルブ、３２…青色光用透過型液晶ライトバルブ、３３…クロスダイクロイックプリズム、４０…投写光学系、４８…投写レンズ、５０…画像投写部、１００…画像表示装置（プロジェクター）、１１０…信号切替装置、１１１…入力処理部、１１２…入力画像信号制御部、１１３…画像制御部、１１４…出力画像信号制御部、１１５…入力音声信号制御部、１１６…音声制御部、１１７…出力音声信号制御部、１２０…受光部、１３０…操作部、１４０…画像信号出力デバイス、１５０…内蔵スピーカー、１１８ａ，１１８ｂ，１１８ｃ…画像信号入力端子、１１９ａ，１１９ｂ，１１９ｃ…音声信号入力端子、１６０…外部スピーカー、１６１…音声信号出力端子、２００…画像信号入力機器、３００…音声信号入力機器、４００…コントロールボックス
【図１】
2012124583.tif 000003
【図２】
2012124583.tif 000004
【図３】
2012124583.tif 000005
【図４】
2012124583.tif 000006
【図５】
2012124583.tif 000007
【図６】
2012124583.tif 000008
【図７】
2012124583.tif 000009